(57)【特許請求の範囲】
【請求項１】
軒樋をコーナー部で接続する曲がり継手と補強部材とからなる曲がり継手の構造であって、該曲がり継手は平面視略Ｌ字型とされ、上記曲がり継手が軒樋の端部を切断して得られた２個の部材の突き合わせ部を隅切りし、突き合わせ面どうしを接着して形成され、前耳部を備えた前壁面と底面部と後耳部を備えた後壁面とからなり、上記補強部材は平面視略Ｌ字型のアームとこのアームの両端部を幅広に延設し、側面視略Ｕ字型とされた係合部とからなるとともに、上記両係合部が曲がり継手の前耳部を内側から係合して固定する軒樋曲がり継手の構造。 
【請求項２】
上記突き合わせ面の接着部上に合成樹脂が肉盛りされ、補強された請求項１に記載の軒樋曲がり継手の構造。
【発明の詳細な説明】
【技術分野】
【０００１】
本発明は、軒樋と軒樋とを接続する曲がり継手に関する。さらに詳しくは、建物のコーナー部等で軒樋と軒樋とを突き合わせて接続する際に用いられる曲がり継手の構造に関する。
【背景技術】
【０００２】
従来、建物のコーナー部に沿わせて配置される軒樋どうしを接合する軒樋の曲がり継手に関しては種々の構造が提案されている。例えば、下記特許文献１には、その図１に記載されているように、下段の樋曲がり継手本体と上段の化粧部品との二つの部材からなる曲がり継手が開示されている。
【特許文献１】特開２００４−１３７７０４号公報（第１〜４頁、第１図）
【発明の開示】
【発明が解決しようとする課題】
【０００３】
しかしながら、上記特許文献１に記載の軒樋曲がり継手は構造が複雑であり、また、必ずしも省部材化が図られているとはいえない。そこで、本発明はこのような問題を解決して、構造が簡単で、かつ、施工性に優れ、建物のコーナー部等で軒樋と軒樋とをしっかりと接続することのできる曲がり継手の構造を提供することを、その課題とする。
【課題を解決するための手段】
【０００４】
上記課題を解決するために、本発明においては、つぎのような技術的手段を講じている。すなわち、請求項１に記載の発明によれば、軒樋をコーナー部で接続する曲がり継手と補強部材とからなる曲がり継手の構造であって、該曲がり継手は平面視略Ｌ字型とされ、上記曲がり継手が軒樋の端部を切断して得られた２個の部材の突き合わせ部を隅切りし、突き合わせ面どうしを接着して形成され、前耳部を備えた前壁面と底面部と後耳部を備えた後壁面とからなり、上記補強部材は平面視略Ｌ字型のアームとこのアームの両端部を幅広に延設し、側面視略Ｕ字型とされた係合部とからなるとともに、上記両係合部が曲がり継手の前耳部を内側から係合して固定する軒樋曲がり継手の構造が提供される。さらに、上記補強部材の係合部の前耳部との接触面に接着剤を塗布して係合し、接着固定してもよい。また、上記曲がり継手を塩化ビニル樹脂等の合成樹脂で一体成形した単体としてもよく、軒樋の一部を部材として作製してもよい。
【０００５】
請求項２に記載の軒樋曲がり継手の構造は、請求項１に記載の発明に加えて、上記突き合わせ面の接着部上に合成樹脂が肉盛りされ、剛性が強化されることが好ましい。
【発明の効果】
【０００７】
請求項１に記載の発明にかかる軒樋曲がり継手の構造は上記のとおりであり、前耳部を備えた前壁面と底面部と後耳部を備えた後壁面とからなる平面視略Ｌ字型の曲がり継手と、平面視略Ｌ字型のアームとこのアームの両端部を幅広に延設し側面視略Ｕ字型とされた係合部とからなる補強部材とから構成され、上記補強部材のアームの角部がアール形状とされているため強度が増し、前耳部の角部に嵌合するとともに、しっかりと補強する。また、上記アーム部の端部に幅広に延設された両係合部が曲がり継手の前耳部を内側から係合するため、建物のコーナー部等で軒樋と軒樋とを作業性よく、しっかりと接続することができる。さらに、上記曲がり継手が軒樋の端部を切断して得られた２個の部材の突き合わせ部を隅切りし、突き合わせ面どうしを接着して形成されるため、軒樋と曲がり継手が同一材質、同一形状となり、違和感なく軒樋どうしを接続することができる。
【０００８】
請求項２に記載の軒樋曲がり継手の構造は上記のとおりであり、請求項１の軒樋曲がり継手の構造の有する効果に加え、上記突き合わせ面の接着部上に合成樹脂が肉盛りされているため、剛性が増し、さらにしっかりと軒樋と軒樋とを接続することができる。
【発明を実施するための最良の形態】
【００１０】
以下、本発明の実施形態について図面を参照して詳細に説明する。図１は塩化ビニル樹脂からなる曲がり継手Ａと金属等、剛性のある補強部材Ｂとからなる本発明にかかる軒樋曲がり継手の構造を示す分解斜視図である。図１に示すように、上記曲がり継手Ａは平面視略Ｌ字型とされ、前耳部１１を備えた前壁面１と底面部２と後耳部３１を備えた後壁面３とからなる。また、補強部材Ｂは平面視略Ｌ字型のアーム４とこのアーム４の両端部に幅広に延設された２つの係合部５、５とからなり、これら係合部５は上記前耳部１１を内側から弾性的に係合できるように側面視略Ｕ字型とされている。
【００１１】
上記係合部５と同様に側断面略Ｕ字型の補強部材Ｂのアーム４は、上記曲がり継手Ａの前耳部１１の角部１１１に嵌合するとともに、上記係合部５は前耳部１１に係合し、曲がり継手Ａはしっかりと補強される。このようにして本発明にかかる軒樋曲がり継手の構造が構成される。図２は上記した方法により形成された本発明にかかる軒樋曲がり継手の構造を示す斜視図である。
【００１２】
図１、図２に示す曲がり継手Ａは、軒樋の一部を用いて形成される。すなわち、まず、図３の平面図に示すように、軒樋Ｃの端部を点線に沿って切断して２個の部材を得、その突き合わせ部を互いに４５°の角度で隅切りする。その後、図４に示すように、得られた２つの突き合わせ面どうしを接着剤Ｓを用いて接着し、図１に示す曲がり継手Ａが得られる。
【００１３】
図５は上記接着剤Ｓによる接着部上に、さらに軒樋Ｃを構成する合成樹脂と同じ塩化ビニル樹脂６を肉盛りして曲がり継手Ａの剛性を強化し、この曲がり継手Ａを補強部材Ｂで補強した本発明にかかる軒樋曲がり継手の構造を示す斜視図である。上記肉盛りは、通常、塩化ビニル製溶接棒を用い、この溶接棒をバーナーで溶融して行われる。
【００１４】
図６は図５に示す形態の軒樋曲がり継手の構造に２本の軒樋Ｃを内継手７を用いて、略直角に接続した状態示す平面図である。図６に示すように、本発明の軒樋曲がり継手の構造を用いることにより建物のコーナー部等で軒樋Ｃどうしを軒樋Ｃと同一材質、同一形状の曲がり継手Ａを用いて接続するため、違和感がなく見栄えよく接続されることが明らかである。なお、肉盛りするための合成樹脂はとくに、塩化ビニル樹脂６に限られるものではなく、軒樋Ｃと親和性のある合成樹脂であれば、問題なく用いられ、このように本発明は設計変更自在であり、本発明の特許請求の範囲を逸脱しない限り、本発明の技術的範囲に含まれる。
【図面の簡単な説明】
【００１５】
【図１】本発明にかかる軒樋曲がり継手の構造を示す分解斜視図である。
【図２】本発明にかかる軒樋曲がり継手の構造を示す斜視図である。
【図３】本発明の曲がり継手の形成方法を説明する平面図である。
【図４】図３に示す方法によって形成された本発明にかかる曲がり継手を示す平面図である。
【図５】図４に示す曲がり継手の接続部上を合成樹脂で肉盛りして得られた本発明にかかる軒樋曲がり継手の構造を示す斜視図である。
【図６】図５に示す軒樋曲がり継手の構造に、２本の軒樋を、内継手を用いて接続した実施形態を示す平面図である。
【符号の説明】
【００１６】
Ａ          曲がり継手
１          前壁面
１１        前耳部
１１１      角部
２          底面部
３          後壁面
３１        後耳部
Ｂ          補強部材
４          アーム
５          係合部
６          塩化ビニル樹脂
７          内継手
Ｃ          軒樋
Ｓ          接着剤
【図１】
0004797770.tif 000002
【図２】
0004797770.tif 000003
【図３】
0004797770.tif 000004
【図４】
0004797770.tif 000005
【図５】
0004797770.tif 000006
【図６】
0004797770.tif 000007